(57)【特許請求の範囲】
【請求項１】
印刷対象物の形状、前記印刷対象物上の印刷領域、及び前記印刷領域上に文字列及び／又は図版を含む素材データを配置するための重なり合う複数のレイアウト領域を有する台紙データと、前記台紙データに対応した印刷レイアウトと、を備える印刷用データを生成する印刷用データ生成システムであって、
前記印刷用データの生成に用いるテンプレートを保持するテンプレート情報記憶部と、
ユーザからの前記印刷用データの生成に係る設定値の入力及び変更を受け付ける設定変更受付手段と、
前記レイアウト領域への前記素材データの入れ子に設定可能な表組形式での配置及び整形の規則であるレイアウト規則及び前記設定値と前記台紙データに基づいて前記印刷レイアウトを生成する印刷レイアウト生成手段と、
前記台紙データと前記印刷レイアウトとを組み合わせた印刷用データを出力する印刷用データ出力手段と、を有し、
前記テンプレート情報記憶部が、前記設定値として前記ユーザからの入力及び変更を受け付ける前記テンプレート毎の設定項目に関する情報を、前記テンプレートにひもづいた状態で保持する設定項目データ記憶部と、
前記レイアウト規則を前記テンプレートにひもづいた状態で保持するレイアウト規則記憶部と、
前記素材データを保持する素材データ記憶部と、を備えることを特徴とする、印刷用データ生成システム。
【請求項２】
前記印刷用データ生成システムが、前記台紙データの生成に係る規則である台紙データ生成規則及び前記設定値に基づいて前記台紙データを生成する台紙データ生成手段を有し、
前記テンプレート情報記憶部が、前記台紙データ生成規則を前記テンプレートにひもづいた状態で保持する台紙データ生成規則記憶部を有し、
前記設定項目データ記憶部が、前記台紙データの生成に係る設定値を有し、
前記台紙データ生成規則記憶部が、前記印刷対象物の寸法情報に基づいて、前記印刷対象物の形状を生成するための台紙形状生成規則と、
前記印刷領域を生成するための印刷領域生成規則と、
前記レイアウト領域を生成するためのレイアウト領域生成規則と、を有することを特徴とする、請求項１に記載の印刷用データ生成システム。
【請求項３】
前記台紙データ生成規則記憶部が、前記印刷用データに含まれる装飾線の描画規則を有し、
前記台紙データ生成手段が前記装飾線の描画手段を有することを特徴とする、請求項２に記載の印刷用データ生成システム。
【請求項４】
前記印刷対象物が紙器であり、前記印刷対象物の形状が前記紙器の展開図であることを特徴とする、請求項１から請求項３の何れかに記載の印刷用データ生成システム。
【請求項５】
前記印刷対象物が被服であり、前記印刷対象物の形状が前記被服の形状、又は前記被服の型紙の形状であることを特徴とする、請求項１から請求項３の何れかに記載の印刷用データ生成システム。
【請求項６】
前記台紙データを表す画像データ、又は前記台紙データと前記印刷レイアウトとを組み合わせた画像データを出力する、プレビュー画像生成手段を有することを特徴とする、請求項１から請求項５の何れかに記載の印刷用データ生成システム。
【請求項７】
印刷対象物の形状、前記印刷対象物上の印刷領域、及び前記印刷領域上に文字列及び／又は図版を含む素材データを配置するための重なり合う複数のレイアウト領域を有する台紙データと、前記台紙データに対応した印刷レイアウトと、を備える印刷用データを生成する印刷用データ生成サーバ装置と、Ｗｅｂサーバ装置と、ユーザが利用する複数のユーザ端末装置と、がネットワークを介して接続される印刷用データ生成システムであって、
前記印刷用データ生成サーバ装置が、前記印刷用データの生成に用いるテンプレートを保持するテンプレート情報記憶部と、
ユーザからの前記印刷用データの生成に係る設定値の入力及び変更を受け付ける設定変更受付手段と、
前記レイアウト領域への入れ子に設定可能な表組形式での前記素材データの配置及び整形の規則であるレイアウト規則及び前記設定値と前記台紙データに基づいて前記印刷レイアウトを生成する印刷レイアウト生成手段と、
前記台紙データと前記印刷レイアウトとを組み合わせた印刷用データを出力する印刷用データ出力手段と、
前記Ｗｅｂサーバ装置との連携を行うＷｅｂサーバ連携手段を有し、
前記テンプレート情報記憶部が、前記設定値として前記ユーザからの入力及び変更を受け付ける前記テンプレート毎の設定項目に関する情報を、前記テンプレートにひもづいた状態で保持する設定項目データ記憶部と、
前記レイアウト規則を前記テンプレートにひもづいた状態で保持するレイアウト規則記憶部と、
前記素材データを保持する素材データ記憶部と、を備え、
前記Ｗｅｂサーバ装置が、前記ユーザに関するデータを保持するユーザ情報記憶部と、
前記ユーザに、前記印刷用データ生成サーバ装置の操作インタフェースを提供するＷｅｂサイト提供手段と、
前記ユーザ情報記憶部に保持されるデータに基づいて前記ユーザの認証処理を行うユーザ認証手段と、
前記印刷用データ生成サーバ装置との連携を行う印刷用データ生成サーバ連携手段と、を有することを特徴とする、印刷用データ生成システム。
【請求項８】
前記印刷用データ生成サーバ装置が、前記台紙データの生成に係る規則である台紙データ生成規則及び前記設定値に基づいて前記台紙データを生成する台紙データ生成手段を有し、
前記テンプレート情報記憶部が、前記台紙データ生成規則を前記テンプレートにひもづいた状態で保持する台紙データ生成規則記憶部を有し、
前記設定項目データ記憶部が、前記台紙データの生成に係る設定値を有し、
前記台紙データ生成規則記憶部が、前記印刷対象物の寸法情報に基づいて、前記印刷対象物の形状を生成するための台紙形状生成規則と、
前記印刷領域を生成するための印刷領域生成規則と、
前記レイアウト領域を生成するためのレイアウト領域生成規則と、を有することを特徴とする、請求項７に記載の印刷用データ生成システム。
【請求項９】
前記台紙データ生成規則記憶部が、前記印刷用データに含まれる装飾線の描画規則を有し、
前記台紙データ生成手段が前記装飾線の描画手段を有することを特徴とする、請求項８に記載の印刷用データ生成システム。
【請求項１０】
前記印刷対象物が紙器であり、前記印刷対象物の形状が前記紙器の展開図であることを特徴とする、請求項７から請求項９の何れかに記載の印刷用データ生成システム。
【請求項１１】
前記印刷対象物が被服であり、前記印刷対象物の形状が前記被服の形状、又は前記被服の型紙の形状であることを特徴とする、請求項７から請求項９の何れかに記載の印刷用データ生成システム。
【請求項１２】
前記印刷用データ生成サーバ装置が、前記台紙データを表す画像データ、又は前記台紙データと前記印刷レイアウトとを組み合わせた画像データを出力する、プレビュー画像生成手段を有することを特徴とする、請求項７から請求項１１の何れかに記載の印刷用データ生成システム。
【請求項１３】
印刷対象物の形状、前記印刷対象物上の印刷領域、及び前記印刷領域上に文字列及び／又は図版を含む素材データを配置するための重なり合う複数のレイアウト領域を有する台紙データと、前記台紙データに対応した印刷レイアウトと、を備える印刷用データを、設定項目データと、前記レイアウト領域への前記素材データの入れ子に設定可能な表組形式での配置及び整形の規則であるレイアウト規則と、がひもづいたテンプレートに基づいて生成する印刷用データ生成システムの動作方法であって、
前記印刷用データ生成システムが、
前記台紙データの指定を受け付けるステップと、
ユーザより前記テンプレートの指定を受け付けるステップと、
前記ユーザより前記テンプレートにひもづいた前記テンプレート毎の前記設定項目データに対応する設定値の入力を受け付けるステップと、
前記テンプレートにひもづいた前記レイアウト規則と、前記設定値、及び前記台紙データに基づいて印刷レイアウトデータを生成するステップと、
前記台紙データと前記印刷レイアウトデータとを組み合わせた印刷用データを出力するステップと、を実行することを特徴とする、印刷用データ生成システムの動作方法。
【請求項１４】
印刷対象物の形状、前記印刷対象物上の印刷領域、及び前記印刷領域上に文字列及び／又は図版を含む素材データを配置するための重なり合う複数のレイアウト領域を有する台紙データと、前記台紙データに対応した印刷レイアウトと、を備える印刷用データを、設定項目データと、前記レイアウト領域への前記素材データの入れ子に設定可能な表組形式での配置及び整形の規則であるレイアウト規則と、台紙データ生成規則と、がひもづいたテンプレートに基づいて生成する印刷用データ生成システムの動作方法であって、
前記印刷用データ生成システムが、
ユーザより前記テンプレートの指定を受け付けるステップと、
前記ユーザより前記テンプレートにひもづいた前記テンプレート毎の前記設定項目データに対応する設定値の入力を受け付けるステップと、
前記テンプレートにひもづいた前記台紙データ生成規則と、前記設定値に基づいて前記台紙データを生成するステップと、
前記テンプレートにひもづいた前記レイアウト規則と、前記設定値、及び前記台紙データに基づいて印刷レイアウトデータを生成するステップと、
前記台紙データと前記印刷レイアウトデータとを組み合わせた印刷用データを出力するステップと、を実行することを特徴とする、印刷用データ生成システムの動作方法。
【発明の詳細な説明】
【技術分野】
【０００１】
本発明は、種々の印刷対象物に印刷するためのデータの生成を行う、印刷用データ生成システムに関する。
【背景技術】
【０００２】
従来、広告や雑誌、商品のパッケージ用の紙器など、同じ内容の印刷物を大量に作成する際には、平版や凸版などの版を用いた印刷が主であった。版の作成にはコストや時間がかかるため、このような版を用いた印刷方法は、多種類の印刷物を少量ずつ作成するような用途には向かないという問題があった。
【０００３】
しかし、版を作成せずに、ＤＴＰ（Ｄｅｓｋｔｏｐ Ｐｕｂｌｉｓｈｉｎｇ）ソフトウェアなどによって作成した印刷用データを直接印刷することができるデジタル印刷機の登場により、必要な印刷物を必要な部数だけ作成する、オンデマンド印刷が可能となった。
【０００４】
更に、各種のデータベースや表形式のファイルに保持される可変データに基づき、所定の個所の内容を差し替えながら印刷を行う、バリアブル印刷と呼ばれる技術も出てきている。
【０００５】
特許文献１に記載される自動組版システムを用いることで、データベースに保持される文字や画像などの可変データを用いた印刷用データを作成することができる。
【０００６】
また、段ボールなどの紙器を用いたパッケージを作成するにあたっては、上述したような印刷技術の他に、紙器の形状を設計する必要がある。このような作業は従来、ＣＡＤ（Ｃｏｍｐｕｔｅｒ Ａｉｄｅｄ Ｄｅｓｉｇｎ）ソフトウェアなどを用いて行われている。
【０００７】
紙器の設計作業を支援する技術として、特許文献２には、ユーザから紙器の用途や形状などの入力を受け、構成部品の選択や寸法の決定を行い、紙器の展開図を提供するパッケージ設計システムが公開されている。
【先行技術文献】
【特許文献】
【０００８】
【特許文献１】特許第４８３４９１９号公報
【特許文献２】特開平５−２８２４０４号公報
【発明の概要】
【発明が解決しようとする課題】
【０００９】
商品などのパッケージを作成する場合には、まず、ＣＡＤソフトウェアなどを用いた紙器形状の設計を行い、その後、ＤＴＰソフトウェアなどを用いて、前記紙器形状に合わせた文字列や図版の配置を行って印刷レイアウトを作成するという手順を踏む必要がある。
【００１０】
また、特許文献２に示したパッケージ設計システムによって紙器の設計を行い、特許文献１に示した自動組版システムを用いて該紙器への印刷レイアウトを作成するとしても、紙器の設計後、前記紙器の形状やサイズに合わせた印刷レイアウトを生成する必要があるという点は変わらない。
【００１１】
そのため、紙器形状に合わせた印刷用データを一度作成したとしても、紙器のサイズ変更や、印刷内容に含まれる文字列、図版の変更を行う場合には、再び紙器の設計、印刷レイアウトの作成という手順を踏む必要が出てしまう。
【００１２】
そこで、本発明では、印刷対象物に合わせた印刷レイアウトの作成及び変更を容易に行うことができる、印刷用データ生成システムを提供することを課題とする。
【課題を解決するための手段】
【００１３】
上記課題を解決するために、本発明に係る印刷用データ生成システムは、
印刷対象物の形状、前記印刷対象物上の印刷領域、及び前記印刷領域上に文字列及び／又は図版を含む素材データを配置するための重なり合う複数のレイアウト領域を有する台紙データと、前記台紙データに対応した印刷レイアウトと、を備える印刷用データを生成する印刷用データ生成システムであって、
前記印刷用データの生成に用いるテンプレートを保持するテンプレート情報記憶部と、
ユーザからの前記印刷用データの生成に係る設定値の入力及び変更を受け付ける設定変更受付手段と、
前記レイアウト領域への前記素材データの配置及び整形の規則であるレイアウト規則及び前記設定値と前記台紙データに基づいて前記印刷レイアウトを生成する印刷レイアウト生成手段と、
前記台紙データと前記印刷レイアウトとを組み合わせた印刷用データを出力する印刷用データ出力手段と、を有し、
前記テンプレート情報記憶部が、前記設定値として前記ユーザからの入力及び変更を受け付ける前記テンプレート毎の設定項目に関する情報を、前記テンプレートにひもづいた状態で保持する設定項目データ記憶部と、
前記レイアウト規則を前記テンプレートにひもづいた状態で保持するレイアウト規則記憶部と、
前記素材データを保持する素材データ記憶部と、を備えることを特徴とする。
【００１４】
このように、前記台紙データに対応する前記印刷レイアウトの生成を、前記レイアウト規則と、ユーザによる設定値と、に従って行い、前記印刷用データを出力することにより、印刷対象物の形状に合わせた印刷レイアウトを生成することができるため、印刷用データの作成、印刷対象物の形状や印刷内容の変更作業に掛かる時間や手間を大きく低減することができる。
【００１５】
本発明の好ましい形態では、前記印刷用データ生成システムが、前記台紙データの生成に係る規則である台紙データ生成規則及び前記設定値に基づいて前記台紙データを生成する台紙データ生成手段を有し、
前記テンプレート情報記憶部が、前記台紙データ生成規則を前記テンプレートにひもづいた状態で保持する台紙データ生成規則記憶部を有し、
前記設定項目データ記憶部が、前記台紙データの生成に係る設定値を有し、
前記台紙データ生成規則記憶部が、前記印刷対象物の寸法情報に基づいて、前記印刷対象物の形状を生成するための台紙形状生成規則と、
前記印刷領域を生成するための印刷領域生成規則と、
前記レイアウト領域を生成するためのレイアウト領域生成規則と、を有することを特徴とする。
このように、寸法情報に基づいて台紙データを生成することにより、印刷対象物の設計作業と、前記印刷対象物上への印刷レイアウトの作成作業を一括して行うことができ、印刷用データの生成を更に効率的に行うことができる。また、前記印刷領域規則と前記レイアウト領域規則とを別個に設けることにより、複数の前記印刷領域にまたがった前記レイアウト領域や、重なり合う複数の前記レイアウト領域などを構成することができるため、複雑なレイアウトを行う場合にも、前記レイアウト規則を簡単に指定することができる。
【００１６】
本発明の好ましい形態では、前記印刷対象物が紙器であり、前記印刷対象物の形状が前記紙器の展開図であることを特徴とする。
これにより、本発明に係る印刷用データ生成システムを用いて、パッケージなどに用いる紙器の設計作業を行うことができる。
【００１７】
本発明の好ましい形態では、前記印刷対象物が被服であり、前記印刷対象物の形状が前記被服の形状、又は前記被服の型紙の形状であることを特徴とする。
これにより、本発明に係る印刷用データ生成システムを用いて、被服への印刷用データの生成を行うことができる。
【００１８】
本発明の好ましい形態では、前記台紙データ生成規則記憶部が、前記印刷用データに含まれる装飾線の描画規則を有し、
前記台紙データ生成手段が前記装飾線の描画手段を有することを特徴とする。
これにより、印刷用データの内容に装飾線が含まれる場合に、前記装飾線を効率的に描画することができ、また、前記台紙の変更時に、それに伴った前記装飾線の変更を行うことができる。
【００１９】
本発明の好ましい形態では、前記レイアウト規則記憶部が、前記素材データを前記レイアウト領域上に入れ子に設定可能な表組形式で配置する規則を保持することを特徴とする。
これにより、前記レイアウト規則の指定を簡単にすることができる。
【００２０】
本発明の好ましい形態では、前記台紙データを表す画像データ、又は前記台紙データと前記印刷レイアウトとを組み合わせた画像データを出力する、プレビュー画像生成手段を有することを特徴とする。
これにより、印刷用データの作成や変更を、仕上がりを確認しながら行うことができるため、作業の効率化が期待できる。
【００２１】
本発明に係る印刷用データ生成システムは、
印刷対象物の形状、前記印刷対象物上の印刷領域、及び前記印刷領域上に文字列及び／又は図版を含む素材データを配置するための重なり合う複数のレイアウト領域を有する台紙データと、前記台紙データに対応した印刷レイアウトと、を備える印刷用データを生成する印刷用データ生成サーバ装置と、Ｗｅｂサーバ装置と、ユーザが利用する複数のユーザ端末装置と、がネットワークを介して接続される印刷用データ生成システムであって、
前記印刷用データ生成サーバ装置が、前記印刷用データの生成に用いるテンプレートを保持するテンプレート情報記憶部と、
ユーザからの前記印刷用データの生成に係る設定値の入力及び変更を受け付ける設定変更受付手段と、
前記レイアウト領域への前記素材データの配置及び整形の規則であるレイアウト規則及び前記設定値と前記台紙データに基づいて前記印刷レイアウトを生成する印刷レイアウト生成手段と、
前記台紙データと前記印刷レイアウトとを組み合わせた印刷用データを出力する印刷用データ出力手段と、
前記Ｗｅｂサーバ装置との連携を行うＷｅｂサーバ連携手段を有し、
前記テンプレート情報記憶部が、前記設定値として前記ユーザからの入力及び変更を受け付ける前記テンプレート毎の設定項目に関する情報を、前記テンプレートにひもづいた状態で保持する設定項目データ記憶部と、
前記レイアウト規則を前記テンプレートにひもづいた状態で保持するレイアウト規則記憶部と、
前記素材データを保持する素材データ記憶部と、を備え、
前記Ｗｅｂサーバ装置が、前記ユーザに関するデータを保持するユーザ情報記憶部と、
前記ユーザに、前記印刷用データ生成サーバ装置の操作インタフェースを提供するＷｅｂサイト提供手段と、
前記ユーザ情報記憶部に保持されるデータに基づいて前記ユーザの認証処理を行うユーザ認証手段と、
前記印刷用データ生成サーバ装置との連携を行う印刷用データ生成サーバ連携手段と、を有することを特徴とする。
このように、印刷用データ生成サーバ装置の操作インタフェースを、Ｗｅｂサーバ装置によって提供し、ユーザがユーザ端末装置を用いて操作できる構成とすることにより、より多くのユーザが本発明に係る印刷用データ生成システムを利用することができる。
【００２２】
本発明の好ましい形態では、前記印刷用データ生成サーバ装置が、前記台紙データの生成に係る規則である台紙データ生成規則及び前記設定値に基づいて前記台紙データを生成する台紙データ生成手段を有し、
前記テンプレート情報記憶部が、前記台紙データ生成規則を前記テンプレートにひもづいた状態で保持する台紙データ生成規則記憶部を有し、
前記設定項目データ記憶部が、前記台紙データの生成に係る設定値を有し、
前記台紙データ生成規則記憶部が、前記印刷対象物の寸法情報に基づいて、前記印刷対象物の形状を生成するための台紙形状生成規則と、
前記印刷領域を生成するための印刷領域生成規則と、
前記レイアウト領域を生成するためのレイアウト領域生成規則と、を有することを特徴とする。
【００２３】
本発明の好ましい形態では、前記印刷対象物が紙器であり、前記印刷対象物の形状が前記紙器の展開図であることを特徴とする。
【００２４】
本発明の好ましい形態では、前記印刷対象物が被服であり、前記印刷対象物の形状が前記被服の形状、又は前記被服の型紙の形状であることを特徴とする。
【００２５】
本発明の好ましい形態では、前記台紙データ生成規則記憶部が、前記印刷用データに含まれる装飾線の描画規則を有し、
前記台紙データ生成手段が前記装飾線の描画手段を有することを特徴とする。
【００２６】
本発明の好ましい形態では、前記レイアウト規則記憶部が、前記素材データを前記レイアウト領域上に入れ子に設定可能な表組形式で配置する規則を保持することを特徴とする。
【００２７】
本発明の好ましい形態では、前記印刷用データ生成サーバ装置が、前記台紙データを表す画像データ、又は前記台紙データと前記印刷レイアウトとを組み合わせた画像データを出力する、プレビュー画像生成手段を有することを特徴とする。
【００２８】
本発明に係る印刷用データ生成システムの動作方法は、
印刷対象物の形状、前記印刷対象物上の印刷領域、及び前記印刷領域上に文字列及び／又は図版を含む素材データを配置するための重なり合う複数のレイアウト領域を有する台紙データと、前記台紙データに対応した印刷レイアウトと、を備える印刷用データを、設定項目データと、前記レイアウト領域への前記素材データの入れ子に設定可能な表組形式での配置及び整形の規則であるレイアウト規則と、がひもづいたテンプレートに基づいて生成する印刷用データ生成システムの動作方法であって、
前記印刷用データ生成システムが、
前記台紙データの指定を受け付けるステップと、
ユーザより前記テンプレートの指定を受け付けるステップと、
前記ユーザより前記テンプレートにひもづいた前記テンプレート毎の前記設定項目データに対応する設定値の入力を受け付けるステップと、
前記テンプレートにひもづいた前記レイアウト規則と、前記設定値、及び前記台紙データに基づいて印刷レイアウトデータを生成するステップと、
前記台紙データと前記印刷レイアウトデータとを組み合わせた印刷用データを出力するステップと、を実行することを特徴とする。
【００２９】
本発明に係る印刷用データ生成システムの動作方法は、
印刷対象物の形状、前記印刷対象物上の印刷領域、及び前記印刷領域上に文字列及び／又は図版を含む素材データを配置するための重なり合う複数のレイアウト領域を有する台紙データと、前記台紙データに対応した印刷レイアウトと、を備える印刷用データを、設定項目データと、前記レイアウト領域への前記素材データの入れ子に設定可能な表組形式での配置及び整形の規則であるレイアウト規則と、台紙データ生成規則と、がひもづいたテンプレートに基づいて生成する印刷用データ生成システムの動作方法であって、
前記印刷用データ生成システムが、
ユーザより前記テンプレートの指定を受け付けるステップと、
前記ユーザより前記テンプレートにひもづいた前記テンプレート毎の前記設定項目データに対応する設定値の入力を受け付けるステップと、
前記テンプレートにひもづいた前記台紙データ生成規則と、前記設定値に基づいて前記台紙データを生成するステップと、
前記テンプレートにひもづいた前記レイアウト規則と、前記設定値、及び前記台紙データに基づいて印刷レイアウトデータを生成するステップと、
前記台紙データと前記印刷レイアウトデータとを組み合わせた印刷用データを出力するステップと、を実行することを特徴とする。
【発明の効果】
【００３０】
本発明によれば、印刷用データの作成にあたって、印刷対象物の形状や印刷内容に対する変更を容易に反映可能な、印刷用データ生成システムを提供することができる。
【図面の簡単な説明】
【００３１】
【図１】本発明の実施形態１に係る印刷用データ生成システムの機能ブロック図である。
【図２】本発明の実施形態１における印刷用データ生成処理を示すフローチャートである。
【図３】本発明の実施形態１における台紙データ生成処理を示すフローチャートである。
【図４】本発明の実施形態１における台紙・印刷レイアウト生成処理を示すフローチャートである。
【図５】本発明の実施形態１における設定入力画面の一例である。
【図６】本発明の実施形態２に係る印刷用データ生成システムの構成図である。
【図７】本発明の実施形態２に係る印刷用データ生成サーバ装置の機能ブロック図である。
【図８】本発明の実施形態２に係るＷｅｂサーバ装置の機能ブロック図である。
【図９】本発明の実施形態２における印刷用データ生成処理を示すフローチャートである。
【発明を実施するための形態】
【００３２】
（実施形態１）
以下、本発明の実施形態１に係る、パッケージに用いる紙器のための印刷用データを生成する印刷用データ生成システムについて、図面を参照して詳細に説明する。
図１は、本実施形態に係る印刷用データ生成システム１の機能ブロック図である。
【００３３】
図１に示すように、印刷用データ生成システム１は、
ユーザから印刷用データの生成に係る設定値の入力及び変更を受け付ける設定変更受付手段１０１と、
前記設定値と、パッケージに用いる紙器の展開図、前記展開図上に設定される印刷領域、及び前記印刷領域上に文字列や図版などの素材データを配置するためのレイアウト領域の生成に関する規則に基づいて台紙データを生成する、台紙データ生成手段１０２と、
前記設定値と、前記レイアウト領域上に前記素材データを配置するためのレイアウト規則、及び前記台紙データに基づいて印刷レイアウトを生成する、印刷レイアウト生成手段１０３と、
前記台紙データのプレビュー用の画像データ、及び前記台紙データと前記印刷レイアウトとを組み合わせたプレビュー用の画像データを生成するプレビュー画像生成手段１０４と、
前記台紙データと前記印刷レイアウトとを組み合わせた印刷用データを出力する印刷用データ出力手段１０５と、
前記台紙データ及び前記印刷レイアウトを生成するための規則などを保持するテンプレート情報記憶部１０６と、を備える。
【００３４】
テンプレート情報記憶部１０６は、更に、前記設定値の項目やその初期値、各項目に選択可能な値などを決定するための情報を保持する設定項目データ記憶部１０６ａと、前記台紙データの生成に関する規則を保持する台紙データ生成規則記憶部１０６ｂと、前記レイアウト規則を保持するレイアウト規則記憶部１０６ｃと、前記素材データを保持する素材データ記憶部１０６ｄと、を有する。
【００３５】
上記の各記憶部は、一般的なデータベースの形式で保持してもよいし、テキスト形式などのファイルの集合として保持するような構成としてもよい。
【００３６】
また、設定項目データ記憶部１０６ａと台紙データ生成規則記憶部１０６ｂとを単一の記憶部とし、前記設定の項目に関する情報と前記台紙データの生成に関する規則とを合わせて保持するなど、各記憶部間で対になる情報が存在する場合には、それらを合わせて保持するような構成としてもよい。このような構成とすることにより、先述したように各記憶部間で対になる情報が存在する場合には、該情報をまとめて一つの記憶部に保持し、管理を簡略にすることができる。
【００３７】
なお、本実施形態に係る印刷用データ生成システム１は、演算装置、主記憶装置、補助記憶装置、各種の入出力装置などを備える一般的なコンピュータ装置によって実現するものであり、図１に示した各処理手段を実行するプログラムと、テンプレート情報記憶部１０６とを、前記補助記憶装置に保持し、前記演算装置と前記主記憶装置とを用いて前記プログラムを実行するものである。
【００３８】
前記台紙データ生成規則は、前記紙器の内寸法もしくは外寸法に応じて該紙器の展開図を生成するための展開図生成規則と、前記紙器に印刷を行う際の位置のずれなどに対応するための余白を設け、前記印刷領域を生成するための印刷領域生成規則と、前記レイアウト領域を生成するためのレイアウト領域生成規則と、を備える。
【００３９】
更に、前記展開図生成規則が、前記紙器に用いる紙の厚みに応じて前記展開図の形状を変更するような構成や、前記紙器のふたを構成するフラップの形状などに関する規則を有する構成としてもよい。また、前記紙器上に模様などを形成するための装飾線描画規則や、前記印刷レイアウト生成に際して、前記素材データを配置する際の拡大又は縮小の倍率を決定するための倍率設定規則などを設けてもよい。そして、これらのような追加規則の有無を、前記テンプレート毎に任意とすることにより、前記テンプレート毎に、前記台紙データ生成に関する様々な規則を設定することが可能となる。
【００４０】
また、前記台紙データ生成規則は、Ｃ言語のような命令型プログラミング言語の要素や、ＰｏｓｔＳｃｒｉｐｔ（登録商標）言語の要素などを有する。これにより、前記紙器の寸法などに応じた条件分岐や、座標を用いた直線の描画指定、ベジェ曲線の描画指定など、種々の規則を柔軟に指定することができる。
【００４１】
前記レイアウト規則は、前記設定値の内で前記印刷レイアウトに関するものと、前記台紙データとに基づいて、前記レイアウト領域上に前記素材データを表組形式で配置するための規則である。
【００４２】
このように、表組形式とすることで、前記素材データの配置の指定を容易に行うことができる。また、前記表組の中に更に表組を設け、入れ子とするような規則を持ち、前記素材データのより細かな配置指定が可能な構成としてもよい。
【００４３】
また、前記レイアウト規則は、ＳＧＭＬやＨＴＭＬのような、マークアップ言語の様態で記述されるものである。これにより、先述した表組形式やその他の前記レイアウト規則の指定を、タグを用いた要素・属性の記述により、簡単に、そして柔軟に行うことができる。
【００４４】
なお、前記レイアウト領域は、前記印刷領域と必ずしも一致している必要はない。例えば、複数の前記レイアウト領域が重複するように構成することにより、前記素材データのより複雑な配置の指定も容易に行うことができる。また、前記紙器の複数の面に設けられた前記印刷領域にまたがる形態で前記レイアウト領域を設けることにより、前記紙器の複数の面にまたがるように前記素材データを配置することもできる。
【００４５】
図２は、本実施形態に係る印刷用データ生成システム１を用いた、印刷用データ生成処理を示すフローチャートである。
印刷用データの生成に際して、まずはステップＳ１０１で、ユーザからのテンプレート選択を受け付け、ステップＳ１０２で、設定項目データ記憶部１０６ａ及び台紙データ生成規則記憶部１０６ｂより、該テンプレートにひもづけられた設定項目データ及び台紙データ生成規則の読み込みを行う。
【００４６】
そして、ステップＳ１０３で、前記設定項目データより、前記設定項目と、各設定項目の初期値及び選択可能な値などを決定し、ステップＳ１０４で、前記設定項目中の台紙に関する設定値と、前記台紙データ生成規則とを用いて、台紙データ生成手段１０２によって台紙データを生成する。なお、初回の処理においては、前記設定値として前記初期値を用いる。
【００４７】
図３は、ステップＳ１０４において実施する前記台紙データの生成処理を示すフローチャートである。まず、ステップＳ２０１で、前記展開図生成規則と前期設定値に基づいて、紙器の外形及び該紙器の組立の際に折り曲げる個所を示す折線によって構成される、該紙器の展開図を描画する。ここでは、前記設定値のうち、前記内寸法または前記外寸法を少なくとも用いる。
【００４８】
また、先述したように、前記展開図生成規則が該紙器に用いる紙の厚みに応じた前記展開図の形状変更に関する規則を有している場合には、前記設定値も前記紙の厚みに関する項目を有し、それに基づいて、前記展開図を作成する。このように、前記紙の厚みを考慮した前記展開図を作成することにより、前記紙の厚みによって、前記設定値によって指定された寸法と実際に前記紙器を組み立てた場合の寸法との間に生じる差異を、小さくすることができる。
【００４９】
次いで、ステップＳ２０２では、前記設定値の内の前記余白に関する設定値と前記印刷領域規則、及び前記展開図の形状、大きさに基づいて、前記印刷領域の描画を行い、ステップＳ２０３で、前記レイアウト領域生成規則に基づいて、後に前記印刷レイアウトを配置するための前記レイアウト領域を生成する。
【００５０】
ステップＳ２０４では、前記設定値の内の前記装飾線に関する設定値と前記装飾線描画規則、及び前記展開図の形状、大きさに基づいて、前記装飾線の描画を行う。ここで、例えば、前記展開図の形状や大きさによって前記装飾線の本数などを変更するような前記装飾線描画規則を設けておくことにより、前記紙器の形状や大きさに基づいた前記装飾線の描画ができる。なお、前記台紙データ生成規則に前記装飾線描画規則が含まれない場合には、ステップＳ２０４における前記装飾線の描画処理を省略する構成としてもよい。
【００５１】
また、前記設定値によって、前記展開図を構成する各辺の長さなどを示す、寸法線の描画の有無を選択可能な構成としてもよい。このように前記寸法線を描画可能な構成とすることにより、前記印刷用データを、実際に印刷を行うためのデータとしてのみでなく、前記紙器の設計図を示す用途などにも利用することもできる。
【００５２】
以上のステップによる前記台紙データの生成処理の終了後には、ステップＳ１０５で、プレビュー画像生成手段１０５によって、前記台紙データのプレビュー画像を生成する。
【００５３】
ステップＳ１０６では、前記設定項目と、前記プレビュー画像とに基づいて、図５（ａ）に一例を示すような画面を表示し、ユーザへの前記台紙データのプレビュー画像の提示と共に、ユーザからの設定値変更の受付を行う。
【００５４】
その後、ステップＳ１０７で、ユーザからのプレビュー画像の再生成、又は印刷用データ生成の指示に基づいて、処理を分岐する。
【００５５】
ステップＳ１０７で、ユーザより前記台紙データのプレビュー画像の再生成が指示された場合には、ステップＳ１０４からステップＳ１０６の処理を再び実施し、ユーザに前記台紙データの新たなプレビュー画像を提示する。ここで、先のステップＳ１０６でユーザより前記台紙データに関する設定値に変更があった場合には、ステップＳ１０４で、該設定項目について変更済みの値を使用するため、先のステップＳ１０５で生成された前記プレビュー画像とは異なるプレビュー画像が生成され、ユーザは自身の行った前記台紙データに関する設定変更による前記台紙データへの影響を確認することができる。
【００５６】
ステップＳ１０７で前記台紙データと前記印刷レイアウトのプレビュー生成を指示された場合には、ステップＳ１０８に進み、前記台紙データと前記印刷レイアウトの生成処理を行う。
【００５７】
図４は、前記台紙データ及び前記印刷レイアウトの生成処理を示すフローチャートである。まず、ステップＳ３０１では、ステップＳ１０４と同様に、先に図３を用いて説明した処理によって前記台紙データを生成する。
【００５８】
そして、ステップＳ３０２で、レイアウト規則記憶部１０６ｃより、前記テンプレートにひもづけられた前記レイアウト規則の読み込みを行う。
【００５９】
ステップＳ３０３では、印刷レイアウト生成手段１０３を用いて、前記印刷レイアウトに関する設定値と、前記レイアウト規則、前記台紙データに基づいて、前記レイアウト領域上に前記素材データの配置を行う、前記印刷レイアウトの生成処理を実行する。ここで、前記レイアウト規則に、前記レイアウト領域の形状や大きさに応じて前記素材データの配置の変更を行う規則、例えば、前記レイアウト領域の横幅が広い場合には横並びに、縦幅が広い場合には縦並びに前記素材データを配置するなどの規則が含まれる場合には、前記レイアウト形状に合わせた前記印刷レイアウトの生成ができる。
【００６０】
また、先述したように、前記台紙データ生成規則に、前記素材データの拡大又は縮小の倍率に関する内容が含まれる場合には、該倍率に従って、前記素材データの大きさを変更して、前記レイアウト領域上に配置する。このように、前記素材データの大きさを変更するための規則を備えることにより、前記紙器の大きさが変更された場合においても、最適な大きさの前記素材データを配置することができる。
【００６１】
前記印刷レイアウトに関する設定値としては、各素材データの使用の有無や、複数の種類を有する素材データについての使用する素材データの選択、又は前記印刷レイアウト上に配置する文字列として直接指定される文字列などを用いる。
【００６２】
また、前記素材データとして文字列データや図版データのリストを備え、前記印刷レイアウトの生成処理において、前記リストに含まれる前記素材データを順次差し替え、複数の前記印刷レイアウトを連続して生成するような構成としてもよい。これにより、複数の前記印刷レイアウトの生成処理を簡単に行うことができる。
【００６３】
なお、前記印刷レイアウトの生成処理において、前記素材データの内で任意の枠内に配置されるべきものが、前記枠内に正常に収まっているかを前記素材データの配置後に判定し、収まっていない場合には該素材データの縮小処理を行う構成としてもよい。これにより、前記台紙データの形状や大きさの変更による前記印刷レイアウトの崩れを防止することができる。
【００６４】
以上の処理により、ステップＳ１０８の前記台紙データと前記印刷レイアウトの生成処理が終了した後に、ステップＳ１０９においてプレビュー画像生成手段１０４を用いた前記台紙データと前記印刷レイアウトを含むプレビュー画像の生成を行い、ステップＳ１０６で図５（ｂ）に例示するような画面によってユーザに該プレビュー画像を提示すると共に、再度の設定変更を受け付ける。
【００６５】
ステップＳ１０７においてユーザより印刷用データの生成が指示された場合には、ステップＳ１１０に進み、先に図４を用いて説明した前記台紙データと前記印刷レイアウトの生成処理を実施し、印刷用データ出力手段１０５を用いて、印刷用データとして出力を行う。
【００６６】
ここで、前記印刷用データは、ＰＤＦファイルのように、縮尺を保ったまま印刷が可能なファイル形式や、各種のＤＴＰソフトウェアで編集可能なファイル形式などで出力されることが好ましい。このような形式のファイルで出力することによって、前記印刷用データを用いた印刷ができるほか、前記印刷用データをもとに、ユーザが更なる編集を加えるなどの活用もできる。
【００６７】
なお、サイズの大きなパッケージのための印刷用データを生成する場合などにも前記印刷用データの内容を確認しやすいよう、先に述べたようなＰＤＦファイルや各種のＤＴＰファイル、あるいは汎用的な画像データなどの形式による、縮小版データを出力可能な構成としてもよい。また、これと前記寸法線を描画可能な構成とすることにより、前記縮小版データを前記紙器の設計図などに、より有効に活用することができる。
【００６８】
このように、前記台紙データ生成規則に従ってパッケージに用いる紙器の台紙データを生成し、前記台紙データに前記レイアウト規則に従って前記素材データを配置することにより、印刷用データの生成、及び設計変更を、容易に行うことができる。
【００６９】
なお、上記の印刷データ生成処理においては、ステップＳ１０２で前記台紙データ生成規則を読み込み、ステップＳ１０３で読み込んだ初期値、あるいはステップＳ１０６で前記ユーザからの入力を受け付けた前記台紙データ生成に関する設定値を用いて前記展開図を生成する構成としているが、それらに代えて予め前記ユーザが用意した前記紙器の展開図を利用可能な構成としてもよい。これにより、前記展開図が予め定まっている場合に、その生成処理を省略することができる。
【００７０】
また、設定項目データ１０６ａに設定項目に関する情報を備え、台紙データ生成規則記憶部１０６ｂやレイアウト規則記憶部１０６ｃに、該設定項目に対応する規則を備える構成とすることによって、テンプレート毎に前記設定項目を増減させることができ、本実施形態に係る印刷用データ生成システムを、様々な様態の印刷用データの生成に利用することができる。
【００７１】
なお、本実施形態においては、前記台紙データが、紙器の展開図、前記印刷領域、前記レイアウト領域を備える構成としているが、例えば前記台紙データに、前記紙器の展開図に代えて被服の形状、あるいはその型紙の形状を備え、前記被服への図柄の印刷用データの生成を行うなど、他の様々な用途での利用もすることができる。  
【００７２】
（実施形態２）
以下、本発明の実施形態２について、図面を参照して詳細に説明する。なお、上述した実施形態１と基本的に同一の構成要素については、同一の符号を付してその説明を簡略化する。
本実施形態における印刷データ生成システムは、図６に示すように、印刷用データ生成サーバ装置１０と、Ｗｅｂサーバ装置２と、複数のユーザ端末装置３とが、ネットワーク４を介して接続された構成となっている。
【００７３】
印刷用データ生成サーバ装置１０は、図７に示すように、実施形態１に係る印刷用データ生成システム１に備えられる各種の手段及びテンプレート情報記憶部１０６に加え、Ｗｅｂサーバ連携手段１０７を備える。
【００７４】
Ｗｅｂサーバ装置２は、ユーザ端末装置３からの要求に応じて印刷用データ生成サーバ装置１０の操作インタフェースとなるＷｅｂサイトを提供するＷｅｂサイト提供手段２０１と、ユーザ端末装置３を利用するユーザに関する情報を保持するユーザ情報記憶部２０４と、ユーザ端末装置３より送信される情報とユーザ情報記憶部２０４に保持される情報とによって前記ユーザの認証を行うユーザ認証手段２０２と、印刷用データ生成サーバ装置１０との連携を行う印刷用データ生成サーバ連携手段２０３と、を備える。
【００７５】
印刷用データ生成サーバ装置１０及びＷｅｂサーバ装置２には、演算装置、主記憶装置、補助記憶装置、各種の入出力装置などを備え、ネットワーク４に接続可能な、汎用的なサーバ装置を用いる。
【００７６】
また、ユーザ端末装置３には、ネットワーク４に接続可能であり、前記Ｗｅｂサイトの閲覧及び操作が可能なＷｅｂブラウザソフトウェアを備える、コンピュータ装置やタブレット端末、スマートフォン端末などを用いる。
【００７７】
図８は、本実施形態に係る印刷用データ生成システムによる、印刷用データ生成に係る処理を示すフローチャートである。
【００７８】
まず、ステップＳ４０１では、ユーザからのユーザ端末装置３によるユーザ情報の送信を受け、ユーザ認証手段２０２を用いた認証処理を行う。
【００７９】
そして、ステップＳ４０２で、実施形態１において図２を用いて説明した処理と同様の、印刷用データ生成処理を実行する。ここで、ステップＳ１０１、Ｓ１０６、Ｓ１０７におけるユーザからの入力操作を受け付ける処理には、ユーザ端末装置３を用いて該ユーザがＷｅｂサーバ装置２に送信した情報を用い、また、ステップＳ１０６における前記印刷用データのプレビュー画像の提示などは、Ｗｅｂサーバ装置２よりユーザ端末装置３に送信することによって行う。
【００８０】
その後、ステップＳ４０３において、ステップＳ１１１において生成した前記印刷用データをユーザ端末装置３へと送信して、本実施形態における印刷用データ生成処理は終了する。
【００８１】
なお、ユーザ情報記憶部２０４が、ユーザにひもづく情報として、テンプレート情報記憶部１０６に保持されるテンプレートの利用権限情報を有する構成とし、ステップＳ１０１のテンプレート選択受付処理において、ユーザは自身が利用権限を有する前記テンプレートのみを利用可能な構成としてもよい。
このような構成とすることにより、多数のユーザが本実施形態に係る印刷用データ生成システムを利用する場合においても、ユーザ間でテンプレートを無断で使用されてしまうような問題の発生を防ぐことができる。
【００８２】
更に、ユーザ情報記憶部２０４が、ユーザが所属するグループに関する情報を有し、前記テンプレートの利用権限を、前記グループに付与するような構成としてもよい。
このような構成とすることにより、例えば企業などのような、組織に所属するユーザに関する前記テンプレートの利用権限の管理を簡便にすることができる。
【００８３】
また、本実施形態においては、単一のＷｅｂサーバ装置２を用いた構成を示しているが、同一の、あるいは複数の異なる管理者が管理を行う複数のＷｅｂサーバ装置２を備える構成としてもよい。これにより、更に多くのユーザが本実施形態に係る印刷用データ生成システムを利用することができる。
【００８４】
更に別の構成として、印刷用データ生成サーバ装置１０と、Ｗｅｂサーバ装置２とを、同一のサーバ装置が兼ねるような構成としてもよい。ユーザ端末装置３を利用するユーザ数が少ない場合など、単一のサーバ装置が印刷用データ生成サーバ装置１０と、Ｗｅｂサーバ装置２の役割を果たすような構成としても前記サーバ装置の処理能力は十分となることが予想される場合には、このような構成とすることにより、印刷用データ生成サーバ装置１０とＷｅｂサーバ装置２との間におけるネットワーク４を経由した通信をなくし、処理の効率化を図ることができる。
【００８５】
なお、本実施形態に係る印刷用データ生成システムも、パッケージに用いる紙器のための印刷用データを生成するものであるが、実施形態１と同様、被服などの他の用途にも利用することができる。
【符号の説明】
【００８６】
１  印刷用データ生成システム
１０  印刷用データ生成サーバ装置
１０１  設定変更受付手段
１０２  台紙データ生成手段
１０３  印刷レイアウト生成手段
１０４  プレビュー画像生成手段
１０５  印刷用データ出力手段
１０６  テンプレート情報記憶部
１０６ａ  設定項目データ記憶部
１０６ｂ  台紙データ生成規則記憶部
１０６ｃ  レイアウト規則記憶部
１０６ｄ  素材データ記憶部
１０７  Ｗｅｂサーバ連携手段
２  Ｗｅｂサーバ装置
２０１  Ｗｅｂサイト提供手段
２０２  ユーザ認証手段
２０３  印刷用データ生成サーバ連携手段
２０４  ユーザ情報記憶部
３  ユーザ端末装置
４  ネットワーク
【図１】
0006008149.tif 000002
【図２】
0006008149.tif 000003
【図３】
0006008149.tif 000004
【図４】
0006008149.tif 000005
【図５】
0006008149.tif 000006
【図６】
0006008149.tif 000007
【図７】
0006008149.tif 000008
【図８】
0006008149.tif 000009
【図９】
0006008149.tif 000010